(57)【特許請求の範囲】
【請求項１】
肥料ホッパ（４９）と、肥料繰出装置（１３）を内装する肥料繰出ケース（４７）を、備えた施肥ユニット（４８）を、複数並列して構成した側条施肥機において、各施肥ユニット（４８）毎に肥料繰出装置（１３）の動力を断接する条止め操作ロッド（７１）を、該肥料繰出ケース（４７）の側方を前後に通過する軸状部材で構成し、該条止め操作ロッド（７１）と一体的に回動するカム（６４）を後端に設け、該カム（６４）の回動にてクラッチアーム（６２）を回動操作すべく構成し、該クラッチアーム（６２）の一端に、肥料繰出装置（１３）の動力を断接するクラッチ装置（７０）の、摺動側クラッチ爪（６７）を摺動するピン（６２Ａ）を固設し、他端に、該クラッチアーム（６２）を操作する操作ワイヤ（８７）のワイヤ連結孔（６２ｂ）を形成し、該操作ワイヤ（８７）は、一操作で同時に複数の施肥ユニット（４８）のクラッチ装置（７０）を入力断続操作するユニットクラッチレバー（８１）に連結し、前記クラッチアーム（６２）は、前記条止め操作ロッド（７１）により回動するカム（６４）、又は、ユニットクラッチレバー（８１）に連結された操作ワイヤ（８７）の何れによっても操作可能に構成したことを特徴とする側条施肥機。
【請求項２】
請求項１記載の側条施肥機において、前記カム（６４）には、クラッチアーム（６２）との円弧状の当接面を備えた押圧部（６４Ｂ）とストッパ部（６４Ａ）とを具備し、該ストッパ部（６４Ａ）は、前記クラッチアーム（６２）を、クラッチ接合状態に保持するための「入」側突起部（６４Ａｂ）と、「切」側突起部（６４Ａａ）を形成したことを特徴とする側条施肥機。
【請求項３】
請求項２記載の側条施肥機において、前記ストッパ部（６４Ａ）に、ストッパ部材であるストッパピン（７８ａ）を係合させ、前記カム（６４）の回動を規制するストッパの機能を果たすと共に、前記カム（６４）が戻らないように係止する戻り止めの機能を具備させ、前記カム（６４）を合成樹脂素材で構成したことを特徴とする側条施肥機。
【発明の詳細な説明】
【０００１】
【発明の属する技術分野】
本発明は、田植機に搭載して移植と同時に施肥するための側条施肥機の構造に関し、特に、各条毎に備えた肥料繰出装置への入力を断続操作するためのクラッチの構成に関する。
【０００２】
【従来の技術】
従来、運転席の直後位置に施肥機を搭載して、植え付け作業と同時に施肥作業を行う乗用型田植機が存在している。一般的に、施肥機は肥料ホッパと、その下部に位置する肥料繰出装置と、該肥料繰出装置に接続された施肥用ホースを具備し、施肥用ホース先端に設けた側条作溝器より泥土層に施肥するように構成されている。多くの施肥機では各条毎に肥料ホッパと肥料繰出装置を備えたユニットを植付条数に応じて搭載し、それぞれに肥料繰出装置への入力を断続操作するクラッチを備えて、該クラッチを入切操作することにより所望の条にのみ施肥できるように構成している。
【０００３】
そして、例えば、図１６及び図１７に示す如く、上記肥料繰出装置の駆動のために伝動軸１２５を備え、これを複数の肥料繰出装置に貫入して動力を伝達しており、該伝動軸１２４上にクラッチ装置１２０を備えたものがある。このクラッチ装置１２０として、摺動側クラッチ爪１２１と固定側クラッチ爪１２８を備えて、摺動側クラッチ爪１２１を駆動軸１２５上を摺動させて固定側クラッチ爪１２８と咬合させたりこれを解除したりすることでクラッチ装置１２０の入切を可能に構成している。このとき、各条に備えた肥料繰出装置を各条毎に入力断続操作するように構成した条止めクラッチ機構と、さらに、一操作で同時に複数の施肥機に具備される肥料繰出装置の入力断続操作するように構成したユニットクラッチ機構を備えるために、条止めクラッチ機構とユニットクラッチ機構のそれぞれの操作部材１２２・１２７に摺動側クラッチ爪１２１を摺動させるピン１２３・１２６を設けている。そして、条止めクラッチ機構とユニットクラッチ機構のそれぞれの操作部材１２２・１２７の何れにおいてもクラッチ装置１２０の入切操作をできるようにしている。
【０００４】
【発明が解決しようとする課題】
しかし、上述の構成であれば、条止めクラッチ機構の操作部材１２２を操作して所望の条のみ条止めを施す場合、条止めクラッチ機構の操作部材１２２に設けたピン１２３が摺動側クラッチ爪１２１を押圧して固定側クラッチ爪１２８との咬合を解除する方向に移動させるが、このとき、ユニットクラッチ機構の操作部材１２７に設けたピン１２６は移動しないため、ユニットクラッチ機構の操作部材１２７に連動するピン１２６と条止めクラッチ機構の操作部材１２２に連動するピン１２３とが当接してしまうと、条止めクラッチ機構の操作部材１２２に連動するピン１２３はそれ以上動けない状態となってしまい、クラッチ装置１２０が完全に作動しないという事態が発生する虞れがある。
【０００５】
上述の事態を防止するためには、摺動側クラッチ爪１２１に形成されたピン挿入部１２１ａの軸方向幅ｄ１をピン１２３・１２６の引き代以上に確保しなければならない。このために、クラッチ装置１２０の小型化が阻まれ、該クラッチ装置１２０を内装するクラッチケース１２４が肥料繰出装置を内装する肥料繰出ケース１３０よりも大幅に突出してしまい、その結果、施肥機を小型に構成することを難しくしている。
【０００６】
【課題を解決するための手段】
本発明の解決しようとする課題は以上の如くであり、次にこの課題を解決するための手段を説明する。
【０００７】
請求項１においては、肥料ホッパ（４９）と、肥料繰出装置（１３）を内装する肥料繰出ケース（４７）を、備えた施肥ユニット（４８）を、複数並列して構成した側条施肥機において、各施肥ユニット（４８）毎に肥料繰出装置（１３）の動力を断接する条止め操作ロッド（７１）を、該肥料繰出ケース（４７）の側方を前後に通過する軸状部材で構成し、該条止め操作ロッド（７１）と一体的に回動するカム（６４）を後端に設け、該カム（６４）の回動にてクラッチアーム（６２）を回動操作すべく構成し、該クラッチアーム（６２）の一端に、肥料繰出装置（１３）の動力を断接するクラッチ装置（７０）の、摺動側クラッチ爪（６７）を摺動するピン（６２Ａ）を固設し、他端に、該クラッチアーム（６２）を操作する操作ワイヤ（８７）のワイヤ連結孔（６２ｂ）を形成し、該操作ワイヤ（８７）は、一操作で同時に複数の施肥ユニット（４８）のクラッチ装置（７０）を入力断続操作するユニットクラッチレバー（８１）に連結し、前記クラッチアーム（６２）は、前記条止め操作ロッド（７１）により回動するカム（６４）、又は、ユニットクラッチレバー（８１）に連結された操作ワイヤ（８７）の何れによっても操作可能に構成したものである。
【０００８】
請求項２においては、請求項１記載の側条施肥機において、前記カム（６４）には、クラッチアーム（６２）との円弧状の当接面を備えた押圧部（６４Ｂ）とストッパ部（６４Ａ）とを具備し、該ストッパ部（６４Ａ）は、前記クラッチアーム（６２）を、クラッチ接合状態に保持するための「入」側突起部（６４Ａｂ）と、「切」側突起部（６４Ａａ）を形成したものである。
【０００９】
請求項３においては、請求項２記載の側条施肥機において、前記ストッパ部（６４Ａ）に、ストッパ部材であるストッパピン（７８ａ）を係合させ、前記カム（６４）の回動を規制するストッパの機能を果たすと共に、前記カム（６４）が戻らないように係止する戻り止めの機能を具備させ、前記カム（６４）を合成樹脂素材で構成したものである。
【００１０】
【発明の実施の形態】
以下、本発明の実施の形態を図面に示す実施例を基に説明する。図１は本発明に係る乗用田植機の全体側面図、図２は同じく平面図、図３は車体フレームとミッションケースの概略斜視図である。図４は側条施肥機の正面図、図５は同じく概略平面図、図６は同じく左側面図、図７は同じく左側面拡大図、図８は同じく左側面断面図、図９は側条施肥機の動力取り出し構成を示す左側面図、図１０は側条施肥機の伝動機構を示す正面断面図である。図１１は肥料繰出装置の正面断面図、図１２は同じく右側面図、図１３は動力伝達時のクラッチ装置を示す図である。図１４は同じく動力断絶時のクラッチ装置を示す図、図１５は操作ワイヤの配設状態を示す背面斜視図である。図１６は従来の肥料繰出装置のクラッチ装置を示す組み立て図、図１７は同じく固定側クラッチ爪と摺動側クラッチ爪を示す図である。図１８はクラッチアームの回動支点軸部分を示す図、図１９は同じく側面断面図、図２０は図１９におけるA −A 断面図である。
【００１１】
初めに、本実施例に係る乗用田植機の全体構成について、図１乃至図３を用いて説明する。但し、本実施例は四条植え式の植付部９を搭載する乗用田植機であり、従って、後述する側条施肥機３０には四組の施肥ユニット４８・４８・・が具備されるが、これに限定されるものではなく、植付部９は六条植え式や八条植え式であってもよく、このとき側条施肥機３０には条数に対応する施肥ユニット４８・４８・・を備えるものとする。
【００１２】
乗用田植機は、走行車両１と、該走行車両１の後部に連結した植付部９とで構成されている。そして、走行車両１の前部及び後部にはそれぞれ前輪２・２と後輪３・３とが懸架され、車体フレーム４の前部には動力部であるエンジン５が搭載されてボンネット２２で覆われている。前記ボンネット２２の両側には予備苗載台９０が配設され、同じくボンネット２２の後上方には操向ハンドル８が配設されている。そして、操向ハンドル８の周囲であってボンネット２２には主変速レバー７５、全動力を入切操作可能な苗継ぎレバー７６、アクセルレバー７２等が配設され、該操向ハンドル８の左側下方には主クラッチペダル７４、同じく右側下方にブレーキペダル７３が配設されている。
【００１３】
エンジン５後方であって車体フレーム４の左右略中央には前後方向に長く形成したミッションケース６が配置されており、該ミッションケース６の前部で前輪２・２が支持され、後部で後輪３・３が支持されている。ミッションケース６は、ボンネット２２後方且つ運転席７前方に位置するステップ２０ｃ、運転席の側方に位置するステップ２０ｂ・２０ｂ及び運転席７を設置するための台座部２０ｄを一体的に形成した車体カバー２０によって覆われており、該車体カバー２０の後上部には運転席７が設けられている。さらに、車体カバー２０の運転席７側方には植付部９の昇降・植付の入切・植付時の変速・線引きマーカ等の操作を行うシフトレバー７７や油圧感度調節レバー１４１等が設けられている。
【００１４】
前記走行車両１の後部には、植付部９を構成する植付伝動フレーム９２が、該植付伝動フレーム９２の前部にローリング支点軸１７を介して設けられたヒッチ９４の上部に枢支されたトップリンク１１と、同じくヒッチ９４の下部に枢支されたロワリンク１２とで構成された昇降リンク機構１０を介して連結されている。
【００１５】
前記昇降リンク機構１０を構成するトップリンク１１は、車体フレーム４を構成する背面視逆Ｕ字状のリアフレーム４３の上部に固設された取付部４３ａに軸支される。一方、ロワリンク１２は、該ロワリンク１２の前部に設けられた側面視三角状の支持体１２ａの前部が、前記リアフレーム４３の下部に軸支され、該支持体１２ａの上部には、昇降リンク機構１０を昇降駆動させる昇降シリンダ１５が連結されている。
【００１６】
なお、リアフレーム４３は昇降リンク機構１０の支持部として利用されると共に、取付プレート３９を介して前記ミッションケース６の後部に一体的に設けられているリアアクスルケース３８が連結されている。そして、リアフレーム４３の上方であって、運転席７と植付部９の間には後述する側条施肥機３０が配設されている。
【００１７】
上述の如く走行車両１の後部に連結された植付部９は、四条植え式の苗載台９１や複数の植付爪９３・９３・・・等から構成されており、前高後低に配設した苗載台９１を、下部レール９５及びガイドレール９６を介して植付伝動フレーム９２に左右往復摺動自在に支持させると共に、ロータリケース９３ａ・９３ａ・・の回転により先端が楕円状軌跡を描いて回転しながら苗を植え付ける植付爪９３・９３・・・を、植付伝動フレーム９２の後部に配設している。
【００１８】
植付部９の下部には、センターフロート９７とサイドフロート９８・９８が配設されている。前記センターフロート９７は、走行車両１の左右中心線上に配置され、センターフロート９７の左右対称位置にサイドフロート９８・９８が配設されて、植付部９の左右のバランスを良好に保ち、植え付け姿勢を安定させて、正確に植え付けができるようにしている。そして、前記サイドフロート９８・９８には各植付条における苗の植え付け部位に隣接する側条作溝器３３・３３・・が設けられ、該側条作溝器３３・３３・・は接地面よりも下方側に向けて泥土層に入り込み、肥料を供給するための溝を形成しながら、前記側条施肥機３０から搬送ホース３２・３２・・を介して送られた肥料を泥土層に施肥するようにしている。
【００１９】
このようにして、上述の乗用田植機は、エンジン５の動力を利用して前輪２・２及び後輪３・３を走行駆動して走行移動させると共に、左右に往復摺動可能な苗載台９１から一株分の苗を植付爪９３・９３・・・によって取り出して連続的に苗を植え付け、さらに、植え付けと同時に施肥できるように構成されている。
【００２０】
ここで、本発明に係る側条施肥機３０について説明する。まず、側条施肥機３０の支持構成から説明する。図３に示す如く、前記車体フレーム４の構成部材である左右の前後フレーム４４・４４の後部には背面視逆Ｕ字状のリアフレーム４３が固設されており、該リアフレーム４３左右両側部には、平面Ｌ字状のステップ支持フレーム１０９・１０９が固設され、その連結部はそれぞれ支持ブラケット１０８・１０８によって補強されている。そして、左右の支持ブラケット１０８・１０８にステーを介して機体左右方向に施肥下部フレーム１０６ｃを横架している。なお、側条施肥機３０を田植機に装備しないときは前記支持ブラケット１０８・１０８に図示せぬリヤデッキを支持させて車体カバー２０を後方へ延設することができる。
【００２１】
さらに、施肥下部フレーム１０６ｃの左右両端には、施肥サイドフレーム１０１Ｌ・１０１Ｒが設けられ、施肥下部フレーム１０６ｃと同様に施肥前部フレーム１０６ａ及び施肥後部フレーム１０６ｂがそれぞれ施肥サイドフレーム１０１Ｌ・１０１Ｒ間に架設されている。そして、施肥前部フレーム１０６ａで後述する肥料繰出ケース４７の前部を、施肥後部フレーム１０６ｂで肥料繰出ケース４７の後部を、施肥下部フレーム１０６ｃで肥料繰出ケース４７の下部を支持している。そして、これら施肥前部フレーム１０６ａ、施肥後部フレーム１０６ｂ、施肥下部フレーム１０６ｃ及び施肥サイドフレーム１０１Ｌ・１０１Ｒ等で施肥フレーム１０６を構成している。
【００２２】
前記左右の施肥サイドフレーム１０１Ｌ・１０１Ｒにはエアタンク５１を貫入するための孔が穿設されており、また、左側の施肥サイドフレーム１０１Ｌには送風機５０を支持するための取付部１０３が固設されており、ここに送風機５０の前部に設けたステー１０４が着脱自在且つ回動自在に取り付けられている。また、送風機５０の側部に設けた固定プレート１０２をサイドフレーム１０１Ｌに螺結して、送風機５０とサイドフレーム１０１Ｌとを固定している。エアタンク５１と送風機５０は施肥サイドフレーム１０１Ｌを介して内部で連通している。このようにして、上述の如く構成された施肥フレーム１０６にエアタンク５１及び送風機５０を装備し、さらに、肥料ホッパ４９・４９・・及び肥料繰出ケース４７・４７・・等を装備して側条施肥機３０を構成する。
【００２３】
図１、図４及び図５に示す如く、側条施肥機３０には、粉粒状の肥料を貯溜する肥料ホッパ４９と、肥料繰出部であって肥料を所定量ずつ繰り出す肥料繰出装置を内装する肥料繰出ケース４７と、フロート９７・９８・９８の側条作溝器３３にフレキシブル型搬送ホース３２を介して肥料を排出させるターボブロワ型の送風機５０と、円筒形のエアタンク５１とを備えると共に、該エアタンク５１一側端（本実施例においては左側）に前記送風機５０を取り付け、四条分四組の肥料繰出ケース４７・４７・・をエアタンク５１上方に配設している。そして、前記肥料ホッパ４９、肥料繰出ケース４７、及び搬送ホース３２などから施肥ユニット４８が構成され、該施肥ユニット４８・４８・・は機体左右方向に並設して配置されている。
【００２４】
ここで、前記施肥ユニット４８・４８・・について説明する。但し、施肥ユニット４８・４８・・は略等しい構成であるので、そのうち一組の施肥ユニット４８を用いてその構造を詳細に説明する。図６乃至図８に示す如く、施肥ユニット４８に具備される肥料繰出ケース４７の上面前側の入口４７ａには、肥料ホッパ４９の下部出口４９ａを嵌着させる一方、肥料繰出ケース４７の下面には、前傾状（上端側が前、下端側が後方向に傾斜）の底蓋５６を着脱自在に固定させている。該底蓋５６は、硬質合成樹脂製で漏斗型（逆円錐型）に形成されると共に、底蓋５６下部には、ジョイント部５６ｂが一体成形されており、底蓋５６とジョイント部５６ｂは小さな口面積の出口５６ａを介して連通されている。
【００２５】
そして、該ジョイント部５６ｂ前端部は、前記エアタンク５１に前端部を嵌着させる接合パイプ５９後端部に連結接続されると共に、ジョイント部５６ｂ後端部には、前記搬送ホース３２が嵌着されており、前記送風機５０からの空気をエアタンク５１からジョイント部５６ｂ及び搬送ホース３２に吹き出させ、底蓋５６の出口５６ａからジョイント部５６ｂ中間に落下する肥料を、搬送ホース３２を介して側条作溝器３３位置まで空気搬送するように構成している。
【００２６】
さらに、肥料繰出装置として、取入口６１ａを有する入口板６１と、同一円周上に複数の繰出口６３ａ・６３ａ・・を有する繰出板６３と、排出口６５ａを有する出口板６５とを備え、略円形平板状の前記各板６１・６３・６５を肥料繰出ケース４７と底蓋５６との間に前傾且つ多層状に配設させている。
【００２７】
そして、肥料繰出ケース４７の内部に繰出軸６６を前傾姿勢で回転自在に軸支させ、各板６１・６３・６５の中央部に繰出軸６６下端側を貫通させ、入口板６１と出口板６５を肥料繰出ケース４７に係止させ、各板６１・６５に対して繰出軸６６を遊転させると共に、繰出板６３を繰出軸６６に係合軸支させ、繰出軸６６によって繰出板６３を強制的に回転させて、取入口６１ａから繰出口６３ａに入った肥料を排出口６５ａに移動させて出口５６ａ方向に落下させるように構成している。
【００２８】
また、肥料繰出ケース４７前部には残留肥料取出口４７ｅを開設しており、ここから施肥作業終了後に肥料ホッパ４９及び肥料繰出ケース４７内の残留肥料を外部に確実に排出除去するようにしている。図８に示す如く、残留肥料取出口４７ｅにはシャッター８２が備えられており、シャッター操作レバー８４を操作することによってシャッター８２を開閉できるように構成している。このようにして、シャッター８２を開閉することで残留肥料取出口４７ｅの開閉を行うようにしている。
【００２９】
前記残留肥料取出口４７ｅには、合成樹脂素材（例えば、硬質ゴム等）で構成されたエルボ管８５が連結され、該エルボ管８５には、フレキシブル型排出用ホース８６が連結されており、残留肥料排出作業時には、排出用ホース８６を機体側方に延ばした状態にして排出する。つまり、図４右側の状態とする。そして、前記シャッター操作レバー８４は、該エルボ管８５・排出用ホース８６の延出方向と逆側に設けられている。すなわち、シャッター操作レバー８４はエルボ管８５・排出用ホース８６と干渉しないように、残留肥料取出口４７ｅの機体左右方向で内側部に配置して、排出用ホース８６は機体外側斜め下方に延出し、シャッター操作レバー８４は操作スペースが広い部分に配置することになる。よって、操作レバー８４を長く構成することができて、作業者はレバー操作がしやすく、軽い力で操作できる。また、残留肥料を排出するためにシャッター操作レバー８４を操作する時に、エルボ管８５や排出用ホース８６が邪魔にならないのである。また、施肥フレーム１０６左右両側下部より前下方へ突出した状態に設けたホースクランプ１０５・１０５で排出用ホース８６・８６・・を支持させて該排出用ホース８６・８６・・を機体側方へ保持させた状態で残留肥料排出作業を行うこともでき、このときホースクランプ１０５・１０５により排出用ホース８６・８６・・が拘持されることで排出用ホース８６・８６・・が安定した状態で残留肥料が排出される。なお、排出用ホース８６・８６・・を収納するときには、図４及び図５に示す如く、該排出用ホース８６・８６・・を曲げて前記施肥前部フレーム１０６ａに固定したホースクランプ８９・８９・・にその先端を挟持させて車体カバー２０後端上方であって側条施肥機３０の前方に収納する。
【００３０】
次に、側条施肥機３０の肥料繰出装置への伝動機構について説明する。図８乃至図１０に示す如く、側条施肥機３０を駆動する駆動源となるエンジン５からの出力は、ミッションケース６の前後中途部に設けられた動力取り出し機構３１によって植付部９側と側条施肥機３０側とに分岐して取り出される。中間軸３５により取り出された側条施肥機３０への動力は中間軸３５後端に連結された無段変速装置入力軸３４ｂによって後述する無段変速装置３４に入力され、該無段変速装置３４により変速された動力は、無段変速装置出力軸３４ｃに連結された伝動軸３７ｂに伝達され、さらに、該伝動軸３７ｂ後端に設けたベベルギア３７ａと変速出力軸３６上に設けられたベベルギア３６ａを介して変速出力軸３６に伝達される。この間に、無段変速装置３４により肥料繰出ケース４７より繰り出される肥料の繰出量を調整し、さらに、安全クラッチ装置３７が伝動軸３７ｂに作用するようにしている。なお、無段変速装置３４を変速操作して肥料の繰出量を調整する調量ダイヤル２９は、運転席７の後方であって車体カバー２０に形成された孔２０ａから上方に突出した状態に設けられており、作業者が運転席７近傍にいる状態で操作できるように構成されている。
【００３１】
そして、変速出力軸３６は、回転軸４０を介して施肥フレーム１０６の左右略中央に配設した支持プレート１０６ｄに固定した駆動ケース４６より突設した繰出入力軸４１に連結連動されると共に、該繰出入力軸４１には、一対のベベルギア４２を介して、機体左右方向に延設された繰出駆動軸４５が連結連動されている。なお、繰出駆動軸４５は複数の軸４５ａ・４５ｂ・４５ｃ・・・から成り、これらは連結具６９により連結されると共に、隣接する各施肥ユニット４８・４８・・間には、軸間にクラッチ装置７０が介設されており、側条施肥機３０の前方に位置するユニットクラッチレバー８１・８１によって、左右二条分の施肥ユニット４８・４８を選択的に駆動可能な構成とし、同じく側条施肥機の前部に位置する条止め操作ロッド７１・７１・・で各施肥ユニット４８・４８・・を選択的に駆動可能な構成としている。
【００３２】
このような構成において、前記繰出駆動軸４５より伝達されてきた動力が、一対のベベルギア６８・６６ａを介して、前記繰出軸６６を駆動すると、肥料ホッパ４９内の肥料は所定の繰出量だけジョイント部５６ｂ中間に落下し、落下した肥料は、そのまま搬送ホース３２を介して側条作溝器３３位置まで空気搬送される。
【００３３】
次に、施肥機３０に備えられた条止めクラッチ機構とユニットクラッチ機構について説明する。本実施例における施肥機３０では、各施肥ユニット４８・４８・・毎に肥料繰出装置１３・１３・・への動力伝達又は動力断絶を選択可能にした条止めクラッチ機構を備えている。また、二条毎に植付爪９３と苗送りベルト９９の作動又は停止を操作するユニットクラッチレバー８１・８１によって、これら二条に対応する二組の施肥ユニット４８・４８の肥料繰出装置１３・１３・・への動力伝達又は動力断絶も操作可能にしたユニットクラッチ機構を備えている。条止めクラッチ機構及びユニットクラッチ機構の何れも前記クラッチ装置７０を動作して入力の断続状態を操作するように構成しており、条止めクラッチ機構では条止め操作ロッド７１を、ユニットクラッチ機構ではユニットクラッチレバー８１を操作部材として別体に設け、それぞれにおいてクラッチ装置７０を操作できるようにしている。
【００３４】
まず、前記クラッチ装置７０の構成から説明する。前述の如く、無段変速装置３４を介して駆動ケース４６に伝達された動力は、該駆動ケース４６を貫通する繰出駆動軸４５に伝達される。そして、図１１に示す如く、各施肥ユニット４８・４８・・の肥料繰出ケース４７・４７・・の上部にはクラッチケース７０ａ・７０ａ・・が付設されて、該クラッチケース７０ａ・７０ａ・・にクラッチ装置７０・７０・・が内装され、クラッチケース７０ａ・７０ａ・内を繰出駆動軸４５が貫通している。これらのクラッチ装置７０・７０・・は施肥ユニット４８・４８・・にそれぞれ設けられており、形状は略同様であるので、以下にそのうち一組のクラッチ装置７０についてその構造を詳細に説明する。
【００３５】
図１１、図１３及び図１４に示す如く、繰出駆動軸４５は肥料繰出ケース４７内で駆動ベベルギア６８が繰出駆動軸４５に遊嵌され、該駆動ベベルギア６８は繰出軸６６の上端に嵌装した従動ベベルギア６６ａに噛合している。そして、前記駆動ベベルギア６８は歯６８ａと反対側に固定側クラッチ爪６８ｂを一体的に形成しており、該固定側クラッチ爪６８ｂは繰出駆動軸４５に、例えば、スプライン嵌合等で摺動可能に外嵌した摺動側クラッチ爪６７と咬合可能に配設されている。摺動側クラッチ爪６７は、クラッチケース７０ａと摺動側クラッチ爪６７との間であって繰出駆動軸４５に嵌装した付勢バネ７９によって、該摺動側クラッチ爪６７と固定側クラッチ爪６８ｂとが噛合する方向に付勢されている。
【００３６】
そして、クラッチケース７０ａの外側に回動自在に設けられたクラッチアーム６２に固定されたクラッチ爪咬合操作部材であるピン６２Ａが摺動側クラッチ爪６７の中途部に形成されたピン挿入部６７ａに挿入されていて、クラッチアーム６２の回動によってピン６２Ａが動いて摺動側クラッチ爪６７を固定側クラッチ爪６８ｂと反対側へ移動させることによって、摺動側クラッチ爪６７は固定側クラッチ爪６８ｂとの咬合を強制的に解除された状態となる。また、クラッチアーム６２が回動してピン６２Ａが固定側クラッチ爪６８ｂ側へ移動すれば、摺動側クラッチ爪６７は付勢バネ７９により固定側クラッチ爪６８ｂの方へ付勢されて固定側クラッチ爪６８ｂと摺動側クラッチ爪６７が咬合した状態となる。
【００３７】
図１２乃至図１４に示す如く、クラッチアーム６２は平面視略Ｕ字状であって、その一端（本実施例では下端）に摺動側クラッチ爪６７に形成されたピン挿入部６７ａに挿入するピン６２Ａが一体的に設けられ、他端（本実施例では上端）にユニットクラッチレバー８１でクラッチアーム６２を操作可能とするための操作ワイヤ８７を連結するためのワイヤ連結孔６２ｂが形成されている。ピン６２Ａはクラッチアーム６２に固定されている根元側６２Ａａでクラッチケース７０ａに回動自在に支承され、そして、中途部で曲折して全体で略Ｚ字状に形成され、先端に設けられた係合部６２Ａｂが摺動側クラッチ爪６７に形成されたピン挿入部６７ａに挿入されている。従って、クラッチアーム６２はクラッチケース７０ａに支承されているピン６２Ａの根元側６２Ａａを中心として回動し、該ピン６２Ａの係合部６２Ａｂも同様にピン６２Ａの根元側６２Ａを中心として回動し、摺動側クラッチ爪６７を摺動させる。
【００３８】
前記ピン６２の支持構成について、さらに詳しく説明する。従来図１６に示すように、操作部材１２７は金属で構成され、ピン１２６は円柱状の回動基部１２６ａより突出され、該回動基部１２６ａはパイプ状のブッシュ１２９を介してケースに回動自在に支持されていたので、回動抵抗が大きくなっていた。そこで本実施例においては、図１８乃至図２０に示すように、前記ピン６２ａは前述のように略Ｚ字状に形成して回転支点軸となる根元側６２Ａａがクラッチケース７０ａ内に嵌合された割ブッシュ１８で支持されている。該割ブッシュ１８は回動支点軸部を中心として筒体を半割（左右に二分割）とした構成で、軸心部に根元側６２Ａを支持する半円柱状の凹部１８ｂを形成し、割り面において、軸心方向に対して直角方向に半円盤状の凹部を形成してグリスだまり１８ａとしている。該グリスだまり１８ａは平行に二つ形成している。このように構成した割りブッシュ１８はピン６２の根元側６２Ａを左右両側から挟持するように合わせて、ワッシャ１３２で抜けないように支持して、クラッチケース７０ａ内に挿入する。そしてクラッチケース７０ａの外側から割ブッシュ１８との両者にネジ１９を螺装して、クラッチアーム６２の回動に伴ってブッシュ１８が連れ回りしないように固定されている。このようにクラッチアーム６２の回動支点軸であるピン６２Ａを、肉厚な割ブッシュ１８で挟持しているので、クラッチアーム６２の回動支点軸を細くすることができ、クラッチアーム６２を軽量に構成することができる。また、割ブッシュ１８は肉厚であるため、軸心を中心としてその外周部に円盤状のグリスだまり１８ａを設けることができ、該グリスだまり１８ｂに供給されるグリスが、ピン６２Ａの回動抵抗小さくして操作性を高めている。
【００３９】
そして、クラッチアーム６２は該クラッチアーム６２に当接するよう配置したカム６４、又は、連結された操作ワイヤ８７の何れによってもその状態を操作可能に構成されている。カム６４はクラッチアーム６２との円弧状の当接面を備えた押圧部６４Ｂと、クラッチアーム６２を一定状態に保持するための「入」側突起部６４Ａｂと「切」側突起部６４Ａａを形成したストッパ部６４Ａとを具備し、該カム６４を回動操作するための条止め操作ロッド７１の後端部に固定されていて、条止め操作ロッド７１の回動に伴って回動するようにしている。カム６４のストッパ部６４Ａに形成された「入」側突起部６４Ａｂと「切」側突起部６４Ａａは、何れもカム６４に一体的に形成され、その先端を円弧状に曲折して、後述するブラケット７８に設けたストッパ部材であるストッパピン７８ａが係合したときに、カム６４の回動を規制するストッパの機能を果たすと共に、後述の如く、カム６４が戻らないように係止する戻り止めの機能を果たしている。このようにして、カム６４の形状を工夫することによって、ストッパ機能だけでなく戻り止め（ディテント）機能を果たすようにしている。
【００４０】
なお、前記カム６４は合成樹脂素材で構成されている。これは、素材の有する可撓性を利用して、カム６４の突起部６４Ａａ・６４Ａｂとストッパピン７８ａとが係合するときに、突起部６４Ａａ・６４Ａｂが多少外側に撓むことでストッパピン７８ａが突起部６４Ａａ・６４Ａｂに係合する位置まで移動可能とし、そして、突起部６４Ａａ・６４Ａｂが元の形状に戻ることでストッパピン７８ａが突起部６４Ａａ・６４Ａｂに係止されて、ストッパピン７８ａの戻り止めの役割を果たすのである。また、カム６４にクラッチアーム６２が当接するため、カム６４には幾分の厚みが必要であるが、カム６４を合成樹脂素材で構成すると、金属素材で構成するときと比べて、必要な形状を保持しながら軽量に構成することができる。さらに、金属素材でカム６４を構成するとカム６４の当接部は滑らかな摺動のために鍍金等を施さなければならないが、当接部がクラッチアーム６２との摩擦により鍍金が剥がれて中の金属素材が露出して錆び、カム６４の回動操作に必要以上の大きな力が必要になる虞れがあるが、カム６４が合成樹脂素材であれば錆の心配は無用であり、カム６４とクラッチアーム６２との良好な作動状態が維持される。
【００４１】
図４及び図１２に示す如く、肥料繰出装置１３への入力断続操作部材である前記条止め操作ロッド７１は、施肥前部フレーム１０６ａと施肥後部フレーム１０６ｂに設けられたブラケット８８・７８に支持されて、肥料繰出ケース４７の側方を前後方向に通過するよう配設されている。施肥前部フレーム１０６ａに設けられたブラケット８８より前方で、条止め操作ロッド７１の先端が略直角に曲折されてハンドル部７１ａを形成している。すなわち、条止め操作ロッド７１は施肥機３０の前方から操作可能に構成されている。このように、肥料繰出ケース４７の側方を前後に通過する細い軸状部材で入力断続操作部材である条止め操作ロッド７１を構成することで、該条止め操作ロッド７１は回動操作であり、操作時に軸が上下方向に移動しないため、肥料繰出ケース４７の近傍という限定された空間に配置することのできるコンパクトな肥料繰出装置１３への入力断続操作部材を実現している。
【００４２】
そして、施肥後部フレーム１０６ｂに設けられたブラケット７８に、条止め操作ロッド７１はその後端を回動自在に支承され、また、該ブラケット７８には該条止め操作ロッド７１に外嵌したカム６４に形成された突起部６４Ａａ・６４Ａｂが係合するストッパピン７８ａが設けられている。図１３に示す如く、前記ストッパピン７８ａが「入」側突起部６４Ａｂに係合している状態のとき、摺動側クラッチ爪６７は付勢バネ７９により固定側クラッチ爪６８ｂの方へ付勢されて、摺動側クラッチ爪６７と固定側クラッチ爪６８ｂとが咬合してベベルギア６８が回動して繰出軸６６に固設のベベルギア６６ａに動力を伝達し、すなわち、繰出駆動軸４５の動力が繰出軸６６へ伝達されて肥料繰出装置１３が作動する。このとき、摺動側クラッチ爪６７が付勢バネ７９によって固定側クラッチ爪６８ｂの方へ付勢され、また、カム６４に形成された「入」側突起部６４Ａｂとストッパピン７８ａが係合しているので、突起部６４Ａｂによってクラッチアーム６２及びカム６４がそれ以上回動しないようにすると共に、クラッチ装置７０が「入」の状態を保持している。
【００４３】
また、前記クラッチ装置７０が「入」の状態から、条止め操作ロッド７１をクラッチ装置７０が「切」の方向へ回動操作すると、該条止め操作ロッド７１に伴ってカム６４が回動し、図１４に示す如く、該カム６４の押圧部６４Ｂの回動中心から外側に膨らんだ部分がクラッチアーム６２に当接するようになり、カム６４によってクラッチアーム６２が押圧されて回動する。ストッパピン７８ａとカム６４の「切」側突起部６４Ａａに係合するまでカム６４が回動すると、クラッチアーム６２は摺動側クラッチ爪６７が固定側クラッチ爪６８ｂとの咬合を解除される位置まで移動する。このとき、「切」側突起部６４Ａａによってカム６４及びクラッチアーム６２の位置が保持され、すなわち、クラッチ装置７０が「切」の状態に保持される。
【００４４】
なお、クラッチアーム６２に連結された操作ワイヤ８７は、二組の施肥ユニット４８・４８でまとめて一つのユニットクラッチレバー８１に連結されている。例えば、本実施例においては四条植え式の植付部９で四組の施肥ユニット４８・４８・・を備えており、左右二組ずつの操作ワイヤ８７が一つのユニットクラッチレバー８１に連結されている。従って、本実施例に係る施肥機３０ではユニットクラッチレバー８１・８１を二本備えており、一本のユニットクラッチレバー８１の操作で左右何れか二組の施肥ユニット４８・４８のクラッチ装置７０・７０の入切を操作できるようにしている。
【００４５】
そして、図１５に示す如く、二組の施肥ユニット４８・４８のうち中央側の施肥ユニット８７の操作ワイヤ８７はクラッチアーム６２に形成されたワイヤ連結孔６２ｂに、操作ワイヤ８７の端部を固定した咬持部材１１０を挿入し、次に、同一の操作ワイヤ８７を連結するもう一組の施肥ユニット４８のクラッチアーム６２のワイヤ連結孔６２ｂには先割れのピン１１３を嵌入する。そして、操作ワイヤ８７はクラッチアーム６２の手前で咬持部材１１１を固定して一本のユニットクラッチレバー８１の操作で二個のクラッチアーム６２・６２を操作できるようにし、ピン１１３先端を通してスナップピン１１４にて陥落を防止し、施肥後部フレーム１０６ｂに固定されたアウタワイヤ１１５を介してユニットクラッチレバー８１に連結されている。なお、操作ワイヤ８７は条止め操作ロッド７１の後端を支承するブラケット７８よりも後方を通るように配設して、カム６４と操作ワイヤ８７の干渉を防止するようにしている。
【００４６】
上述の操作ワイヤ８７は、該操作ワイヤ８７が引かれたときに、該操作ワイヤ８７に連結されている二組の施肥ユニット４８・４８の肥料繰出装置１３が動作を停止し、すなわち、クラッチ装置７０が「切」の状態となる。また、同様に該操作ワイヤ８７が緩められたときにクラッチ装置７０が「入」の状態となる。操作ワイヤ８７が緩められた状態であるとき、条止め操作ロッド７１により、該操作ワイヤ８７に連結された二組の施肥ユニット４８・４８のうち所望の施肥ユニット４８・４８・・の肥料繰出装置１３に備えられたクラッチ装置７０を「切」の状態として該肥料繰出装置１３の動作を停止させることができる。
【００４７】
また、操作ワイヤ８７の組み付け時や取り外し時に、まず、ユニットクラッチレバー８１を操作して該操作ワイヤ８７に連結された二個の施肥ユニット４８・４８のクラッチ装置７０を「入」の状態、すなわち、ユニットクラッチを「入」の状態として、次に、操作ワイヤ８７の先端側に位置する施肥ユニット４８のクラッチ装置７０を「切」の状態にすれば、操作ワイヤ８７にテンションをかけずに操作ワイヤ８７とクラッチアーム６２を固定している咬持部材１１０・１１１を組み付ける、又は、取り外すことができるので、メンテナンスや組み立て作業が簡易となる。
【００４８】
【発明の効果】
本発明は、以上のように構成したので、以下に示すような効果を奏する。
【００４９】
請求項１に示す如く、肥料ホッパ（４９）と、肥料繰出装置（１３）を内装する肥料繰出ケース（４７）を、備えた施肥ユニット（４８）を、複数並列して構成した側条施肥機において、各施肥ユニット（４８）毎に肥料繰出装置（１３）の動力を断接する条止め操作ロッド（７１）を、該肥料繰出ケース（４７）の側方を前後に通過する軸状部材で構成し、該条止め操作ロッド（７１）と一体的に回動するカム（６４）を後端に設け、該カム（６４）の回動にてクラッチアーム（６２）を回動操作すべく構成し、該クラッチアーム（６２）の一端に、肥料繰出装置（１３）の動力を断接するクラッチ装置（７０）の、摺動側クラッチ爪（６７）を摺動するピン（６２Ａ）を固設し、他端に、該クラッチアーム（６２）を操作する操作ワイヤ（８７）のワイヤ連結孔（６２ｂ）を形成し、該操作ワイヤ（８７）は、一操作で同時に複数の施肥ユニット（４８）のクラッチ装置（７０）を入力断続操作するユニットクラッチレバー（８１）に連結し、前記クラッチアーム（６２）は、前記条止め操作ロッド（７１）により回動するカム（６４）、又は、ユニットクラッチレバー（８１）に連結された操作ワイヤ（８７）の何れによっても操作可能に構成したので、条止めクラッチ機構とユニットクラッチ機構のそれぞれに摺動側クラッチ爪の噛合操作ピンを設ける必要がなく、摺動側クラッチ爪に形成されるピンの引き代は一本のピンが挿入できる大きさであればよい。従って、クラッチ装置をコンパクトに構成することができ、施肥機を小型に構成することができる。
【００５０】
請求項２に示す如く、請求項１記載の側条施肥機において、前記カム（６４）には、クラッチアーム（６２）との円弧状の当接面を備えた押圧部（６４Ｂ）とストッパ部（６４Ａ）とを具備し、該ストッパ部（６４Ａ）は、前記クラッチアーム（６２）をクラッチ接合状態に保持するための「入」側突起部（６４Ａｂ）と、「切」側突起部（６４Ａａ）を形成したので、カムの形状を変化させるという比較的簡易な変更で、ストッパとディテント機能をカムに持たせることができ、部品点数を削減することができ、安価且つ簡易に構成することができる。
【００５１】
請求項３に示す如く、請求項２記載の側条施肥機において、前記ストッパ部（６４Ａ）に、ストッパ部材であるストッパピン（７８ａ）を係合させ、前記カム（６４）の回動を規制するストッパの機能を果たすと共に、前記カム（６４）が戻らないように係止する戻り止めの機能を具備させ、前記カム（６４）を合成樹脂素材で構成したので、樹脂素材の可撓性でディテントを構成することができ、金属素材を採用するときと比較して軽量化され、また、錆びることがないので良好な作動状態を維持できる。
【図面の簡単な説明】
【図１】  本発明に係る乗用田植機の全体側面図。
【図２】  同じく平面図。
【図３】  車体フレームとミッションケースの概略斜視図。
【図４】  側条施肥機の正面図。
【図５】  同じく概略平面図。
【図６】  同じく左側面図。
【図７】  同じく左側面拡大図。
【図８】  同じく左側面断面図。
【図９】  側条施肥機の動力取り出し構成を示す左側面図。
【図１０】  側条施肥機の伝動機構を示す正面断面図。
【図１１】  肥料繰出装置の正面断面図。
【図１２】  同じく右側面図。
【図１３】  動力伝達時のクラッチ装置を示す図。
【図１４】  同じく動力断絶時のクラッチ装置を示す図。
【図１５】  操作ワイヤの配設状態を示す背面斜視図。
【図１６】  従来の肥料繰出装置のクラッチ装置を示す組み立て図。
【図１７】  同じく固定側クラッチ爪と摺動側クラッチ爪を示す図。
【図１８】  クラッチアームの回動支点軸部分を示す図。
【図１９】  同じく側面断面図。
【図２０】  図１９におけるA −A 断面図。
【符号の説明】
１３  肥料繰出装置
３０  側条施肥機
４７  肥料繰出ケース
４８  施肥ユニット
４９  肥料ホッパ
４５  繰出駆動軸
６２  クラッチアーム
６２Ａ  ピン（クラッチ爪噛合操作部材）
６４  カム
６４Ａ  ストッパ部
６４Ａａ  「切」側突起部
６４Ａｂ  「入」側突起部
６７  摺動側クラッチ爪
６７ａ  ピン挿入部
６８ｂ  固定側クラッチ爪
７０  クラッチ装置
７１  条止め操作ロッド（入力断続操作部材）
８１  ユニットクラッチレバー
８７  操作ワイヤ
【図１】
0004071999.tif 000002
【図２】
0004071999.tif 000003
【図３】
0004071999.tif 000004
【図４】
0004071999.tif 000005
【図５】
0004071999.tif 000006
【図６】
0004071999.tif 000007
【図７】
0004071999.tif 000008
【図８】
0004071999.tif 000009
【図９】
0004071999.tif 000010
【図１０】
0004071999.tif 000011
【図１１】
0004071999.tif 000012
【図１２】
0004071999.tif 000013
【図１３】
0004071999.tif 000014
【図１４】
0004071999.tif 000015
【図１５】
0004071999.tif 000016
【図１６】
0004071999.tif 000017
【図１７】
0004071999.tif 000018
【図１８】
0004071999.tif 000019
【図１９】
0004071999.tif 000020
【図２０】
0004071999.tif 000021